(57)【要約】【課題】任意の間隔で近接する柱状体の回りを、簡単かつ確実にカバーできるカバーシートを提供することである。【解決手段】３本の樹木の幹５ａ、５ｂ、５ｃを挟んで配置される分割シート１ａの分割辺同士を係止する係止具をスライドファスナ２として、このスライドファスナ２を開閉する開閉スライダ３を、交互に逆向きに６つ装着し、各５ａ、５ｂ、５ｃの両側から１つずつの開閉スライダ３を前向きに前進させて、その元までスライドファスナ２を閉めることにより、各幹５ａ、５ｂ、５ｃの回りを、簡単かつ確実にカバーできるようにした。【選択図】　図３
2004081075.tif 000002
【特許請求の範囲】
【請求項１】
複数本の柱状体を挟んで配置される分割シートの分割辺に、この分割辺同士を係止するスライドファスナを設けて、このスライドファスナを開閉する４つ以上の開閉スライダを交互に逆向きに装着し、互いに逆向きに装着した開閉スライダを、１本ずつの前記柱状体の両側から１つずつ前向きに前進させて、柱状体の元まで前記スライドファスナを閉め、複数本の柱状体の回りをカバーするようにした柱状体回りのカバーシート。
【請求項２】
前記カバーシートを、概ね平行に延びる複数の分割辺を有する３つ以上の分割シートに分割されたものとした請求項１に記載の柱状体回りのカバーシート。
【請求項３】
前記柱状体が樹木の幹である請求項１または２に記載の柱状体回りのカバーシート。
【請求項４】
前記カバーシートがメッシュのシートである請求項１乃至３のいずれかに記載の柱状体回りのカバーシート。
【発明の詳細な説明】
【０００１】
【発明の属する技術分野】
この発明は、樹木の幹等の柱状体の回りをカバーするカバーシートに関するものである。
【０００２】
【従来の技術】
樹木の剪定やその果実を収穫する際には、剪定される枝葉や収穫される果実を効率よく収集するために、幹の回りでカバーシートを地面に敷きつめるか、枝等に吊り下げることがある。
【０００３】
この種のカバーシートとしては、例えば、実開昭６２−１７８８３２号公報や実用新案登録公報第２５５２０８８号に記載されたものがある。前者は果実収穫用のカバーシートであり、シートに幹が嵌まる大きさの孔と、周縁部からこの孔に達する切込みを設けて、切込み部を係止具で係止するようにしたものである。係止具としては、開閉が容易なファスナ（スライドファスナ）を推奨している。後者は切り枝収集用のカバーシートであり、シートの中央に幹通し孔を設け、幹通し孔に達する開口部（切込み部）を１箇所または複数箇所に設けて、切込み部を面ファスナまたはホックで係止するようにしたものである。
【０００４】
【発明が解決しようとする課題】
樹木の剪定やその果実を収穫する際には、対象となる樹木が複数本近接して植えられていることが多い。しかしながら、上述した従来のカバーシートは、いずれも１本の樹木の幹回りしかカバーできないので、複数本の樹木を対象とする場合は、１本ずつの樹木の剪定作業や収穫作業毎にカバーシートを着脱するか、複数枚のカバーシートを用意する必要がある。このため、これらの作業が煩雑なものとなり、作業時間も長くなる問題がある。
【０００５】
なお、切込み部を面ファスナまたはホックで係止する後者のカバーシートは、複数の幹通し孔を設ければ、簡単な工夫で複数本の樹木の幹回りをカバーできるが、面ファスナやホックはスライドファスナに較べて開閉に手間がかかり、かつ、閉塞の信頼性もスライドファスナより劣る。また、複数の幹通し孔の間隔を事前に設定する必要があるので、間隔がまちまちである複数本の樹木の幹回りをカバーすることができない。
【０００６】
一方、このような複数本の柱状体の回りをカバーするカバーシートは、上述した剪定作業や収穫作業のみでなく、建造物を含む柱状体の回りの地面や床面の保護やシールにも必要とされることがある。
【０００７】
そこで、この発明の課題は、任意の間隔で近接する柱状体の回りを、簡単かつ確実にカバーできるカバーシートを提供することである。
【０００８】
【課題を解決するための手段】
上記の課題を解決するために、この発明の柱状体回りのカバーシートは、複数本の柱状体を挟んで配置される分割シートの分割辺に、この分割辺同士を係止するスライドファスナを設けて、このスライドファスナを開閉する４つ以上の開閉スライダを交互に逆向きに装着し、互いに逆向きに装着した開閉スライダを、１本ずつの前記柱状体の両側から１つずつ前向きに前進させて、柱状体の元まで前記スライドファスナを閉め、複数本の柱状体の回りをカバーする構成を採用した。
【０００９】
すなわち、複数本の柱状体を挟んで配置される分割シートの分割辺同士を係止する係止具をスライドファスナとして、このスライドファスナを開閉する開閉スライダを、交互に逆向きに４つ以上装着し、１本ずつの柱状体の両側から１つずつの開閉スライダを前向きに前進させて、各柱状体の元までスライドファスナを閉めることにより、任意の間隔で近接する柱状体の回りを、簡単かつ確実にカバーできるようにした。
【００１０】
前記カバーシートを、概ね平行に延びる複数の分割辺を有する３つ以上の分割シートに分割されたものとすることにより、縦横両方向に近接する複数本の柱状体の回りをカバーすることができる。
【００１１】
前記カバーシートは幹の両サイドから着脱でき、樹木から張り出す枝が邪魔にならないので、樹木の幹回りのカバーに好適である。
【００１２】
前記カバーシートをメッシュのシートとすることにより、枝等に吊り下げて取り付け、果実収穫作業等に好適に用いることができる。
【００１３】
【発明の実施の形態】
以下、図１乃至図５に基づき、この発明の実施形態を説明する。図１乃至図４は、第１の実施形態を示す。これは果実収穫用のカバーシート１であり、図１に示すように、メッシュで形成された２枚の分割シート１ａの分割辺にスライドファスナ２を取り付け、スライドファスナ２を開閉する複数の開閉スライダ３を、交互に逆向きに装着するようにしたものである。カバーシート１の辺縁部には、吊り下げ用の紐を通す複数の鳩目４が取り付けられている。
【００１４】
図２に示すように、この実施形態では、６つの開閉スライダ３を、２つずつ前向きに対向させて、すなわち、扇形に広がって前方両側から噛み込まれるスライドファスナ２を閉める前側を対向させて装着し、以下に述べるように、この前向きに対向する３対の開閉スライダ３の間で、３本の樹木の幹回りをカバーするようにした。
【００１５】
図３は、上述したカバーシート１の取り付け手順を示す。まず、図３（ａ）に示すように、１本目の樹木の幹５ａを挟むように２枚の分割シート１ａを配置し、分割辺の右端側から１番目の開閉スライダ３を前向きに装着して、幹５ａの元まで前進させる。
【００１６】
つぎに、図３（ｂ）に示すように、分割辺の左端側から２番目と３番目の開閉スライダ３を前向きと後向きとに順に装着して幹５ａの元まで前進させ、後向きの３番目の開閉スライダ３の後側で開けられた２枚の分割シート１ａを、２本目の樹木の幹５ｂを挟むように配置する。こののち、図３（ｃ）に示すように、前記３番目の後向きの開閉スライダ３を幹５ｂの元まで右側から前進させるとともに、分割辺の左端側から４番目と５番目の開閉スライダ３を前向きと後向きとに順に装着して幹５ｂの元まで前進させ、５番目の後向きの開閉スライダ３の後側で開けられた２枚の分割シート１ａを、３本目の樹木の幹５ｃを挟むように配置する。
【００１７】
最後に、図３（ｄ）に示すように、前記５番目の後向きの開閉スライダ３を幹５ｃの元まで右側から前進させるとともに、分割辺の左端側から６番目の開閉スライダ３を前向きに装着して、幹５ｃの元まで前進させる。このようにして、３本の幹５ａ、５ｂ、５ｃの回りをカバーシート１でカバーすることができる。カバーシート１は自在に変形するので、各幹５ａ、５ｂ、５ｃは必ずしも１直線上にある必要はない。
【００１８】
なお、上述した手順に加えて、６番目の開閉スライダ３に続けて７番目の開閉スライダ３を後向きに装着し、７番目の後向きの開閉スライダ３の後側で開けられた２枚の分割シート１ａを、４本目の樹木の幹を挟むように配置したのち、分割辺の左端側から８番目の開閉スライダ３を前向きに装着するような手順を繰り返せば、４本以上の樹木の幹回りをカバーすることができる。
【００１９】
また、３本の幹５ａ、５ｂ、５ｃの回りをカバーする手順は、図３に示したものに限定されることはなく、例えば、分割辺の左右両側から前向きと後向きの開閉スライダ３を装着して、先に中央の幹５ｂの回りをカバーし、こののち、分割辺の左右両側から前向きの開閉スライダ３を１つずつ装着して、左右の幹５ａ、５ｃの回りをカバーすることもできる。
【００２０】
図４は、前記カバーシート１の各鳩目４に紐を通して、各樹木の枝に吊り下げた状態を示す。この状態で各樹木の果実がカバーシート１上に収穫される。
【００２１】
図５は、第２の実施形態を示す。これは剪定用のカバーシート６であり、３枚の分割シート６ａに分割されている。平行に延びる２つの分割辺には、第１の実施形態のものと同様に、スライドファスナ７が取り付けられ、各スライドファスナ７を開閉する６つずつの開閉スライダ８が、交互に逆向きに装着されるようになっている。各スライドファスナ７への開閉スライダ８の装着は、第１の実施形態のものと同じ手順で行なうことができ、このカバーシート６は、縦横に近接する６本の樹木の幹回りをカバーすることができる。
【００２２】
【発明の効果】
以上のように、この発明の柱状体回りのカバーシートは、複数本の柱状体を挟んで配置される分割シートの分割辺同士を係止する係止具をスライドファスナとして、このスライドファスナを開閉する開閉スライダを、交互に逆向きに４つ以上装着し、１本ずつの柱状体の両側から１つずつの開閉スライダを前向きに前進させて、各柱状体の元までスライドファスナを閉めるようにしたので、任意の間隔で近接する柱状体の回りを、簡単かつ確実にカバーすることができる。
【図面の簡単な説明】
【図１】第１の実施形態のカバーシートを示す平面図
【図２】図１の要部拡大平面図
【図３】ａ、ｂ、ｃ、ｄは、それぞれ図１のカバーシートを取り付ける手順を示す平面図
【図４】図１のカバーシートを樹木に取り付けた状態を示す外観斜視図
【図５】第２の実施形態のカバーシートを示す平面図
【符号の説明】
１　カバーシート
１ａ　分割シート
２　スライドファスナ
３　開閉スライダ
４　鳩目
５ａ、５ｂ、５ｃ　幹
６　カバーシート
６ａ　分割シート
７　スライドファスナ
８　開閉スライダ
【図１】
2004081075.tif 000003
【図２】
2004081075.tif 000004
【図３】
2004081075.tif 000005
【図４】
2004081075.tif 000006
【図５】
2004081075.tif 000007